(57)【特許請求の範囲】
【請求項１】
折板で形成された一平面の屋根面へ、凹凸条方向の端部を除いて複数のシートを、互いに間隔を設けて凸条面に近接して被設し、凹条とシートとの空間に通風路を形成し、この通風路上のシート部に複数の通気用透孔を設け、この通気用透孔から前記通風路の換気を行うと共に、シートの浮き上がりを防止したことを特徴とする屋根。
【発明の詳細な説明】
【技術分野】
【０００１】
本発明は屋根に関するものであり、詳しくは屋根を形成する折板部材が直射日光によって高温となるのを防止し、屋内への影響を無くす屋根に関するものである。
【背景技術】
【０００２】
従来の屋根に関するこの種の防止手段としては、屋根裏の空間を換気して屋根からの影響を絶たんとするものがあり、また、屋根自体を断熱構造としたりして、屋根からの温度の上昇を防いでいるのである。
【特許文献１】特開２００３−１８４２１６公報
【特許文献２】特開２００３−８０７７２公報
【発明の開示】
【発明が解決しようとする課題】
【０００３】
屋根裏の空間を換気したり、屋根を断熱構造とする上記従来の方法は、その効果は期待されるけれど、潤沢な経費が必要であり、例えば工場、倉庫や車庫等の場合に応用することは構造上無理があり、特に瓦棒葺や折板を利用した金属製屋根の場合には太陽の直射日光で相当な高熱となって屋内に影響するのである。
【０００４】
そこで、本発明は簡易な構成によって、凹凸条を形成した屋根自体を太陽の直射日光から保護すると共に、屋根が高温となるのを防止せんとするものである。
【課題を解決するための手段】
【０００５】
本発明に係る屋根は、折板で形成された一平面の屋根面へ、凹凸条方向の端部を除いて複数のシートを、互いに間隔を設けて凸条面に近接して被設し、凹条とシートとの空間に通風路を形成し、この通風路上のシート部に複数の通気用透孔を設け、この通気用透孔から前記通風路の換気を行うと共に、シートの浮き上がりを防止したことを特徴とするものである。
【０００６】
簡易な屋根として広く利用されている金属製の折板に作用させるものであり、屋根の上面をシートで被覆するため折板に直射日光が当るのを防ぎ、形成した通風路内を空気（風）が通り、通気用透孔からも出入りして通風路を換気、空冷する作用を奏し、同時にシートの浮き上がりを抑制する作用も有する。
また、シートを被設してない屋根の凹条部の端部や、シートの互いに間隙からも空気（風）が出入りし、形成された通風路へ空気（風）を導く作用を奏するものである。
【発明の効果】
【０００７】
本発明に係る屋根は、折板で形成された一平面の屋根面に、その凸条面に近接してシートを被設し、凹条とシートとの空間に通風路を形成したため、被設したシート自体で屋根面へ直射日光が照りつけるのを防止し、折板屋根自体が直射日光により高温となるのを防ぐ効果を有する。
そして、通風路内を空気が流通することによって、該通風路内の空気を換気して空気が留まって高温となり折板屋根へ影響を与えるのを防ぎ、且つ空気の流通によって通風路内を冷やす空冷効果も得られ、これ等の作用で折板屋根自体の高温化を防止するものである。
【０００８】
また、通風路上のシート部に複数の通気用透孔を設けてあるため、空気の流通の出入り口を近辺で確実に得られ、通風路内にいくつもの対流が発生し、この通気用透孔から相当量の空気が速やかに出入りし、通風路内の空気の流通作用を促進させて換気効果と空冷効果を高めるものとなる。
そして、複数の通気用透孔から相当量の空気の出入りが速やかにできることは、シートの表裏間での気流圧力差から生じるシートの浮き上がりによるバタつきや破損を防止し、シートの折板屋根への取り付けを強固にする要請からも開放され、簡易な被設手段を選択できる効果を有し、シートに溜まる雨水の排水を促す効果もある。
【０００９】
更に、複数のシートを、屋根の凹凸条方向の端部を除いて、互いに間隔を設けて被設したため、屋根に沿って流れる気流を、屋根の端部やシートの互いの間隙から通風路へ容易確実に出入りさせることができ、通風路の通風及び換気効果を一層高め、シートのバタつきを防ぐ効果も確実とできる。
同時に、シートが小型化することによって、屋根に張って被設することが容易となり、通風路の換気効果を一層高めてバタつきの防止にも有効である。
そして、屋根の全面を被設しなくともシートの被設範囲で、充分な通風と換気を行なうことにより、折板屋根自体の高温化を防止する効果を得られるものである。
【００１０】
斯かる作用効果を人為的又は機械的に行うもので無く、外気自体を利用して自然のままに行うものであって、特別のランニングコストを必要とせず、また、シートは遮光目的であるため、従来の遮熱目的のパネル材に比べ安価に入手できるから経済的効果も大きいものとなるのである。
特に折板で凹凸面が形成された屋根は直射日光で高温となり易く、本発明の恩恵に浴するものである。
【発明を実施するための最良の形態】
【００１１】
本発明の実施の形態を図面に基づいて説明する。
図１は本発明の一実施の形態を示す屋根の平面図、図２及び図３は要部断面図であり、屋根１にシート２を張設した構成となっている。
屋根１は陸屋根であって、図1において図面上の屋根の上部から下部の方向へ緩く傾斜し、屋根１は折板１０で形成してあり、折板１０の凹条（谷部）１１と凸条（山部）１２も傾斜に沿って図面上で上下方向に配置されて形成している。
【００１２】
シート２は周囲に鳩目を当着して形成した取り付け孔７、７・・に対応して、屋根１の周端部に突設した鉤１３、１３・・・に引っ掛け、屋根１の凸条面に近接して被設したものであり、屋根１の凹条１１と被設したシート２とで構成する多数の通風路１４、１４、１４、・・・が形成されている。
【００１３】
また、一平面の屋根１の面には、凹凸条１１、１２方向の端部１６を除いた内方から複数のシート２、２が互いに間隔１５を設けて被設してあり、この端部１６や間隔１５を設けた部分から通風路１４へ空気の進入が容易となり、空気が自由に出入りして流通できるものとなる。
【００１４】
さらに、通風路１４上のシート部には通気用透孔９、９・・が設けてある。
したがって、通風路１４内の空気が通気用透孔９からも出入りして流通するものであるから、通風路１４内の空気が換気されて高温となるのを防止できると共に、通風路１４を形成し、通風路１４内の空気と接する屋根１の凹条１１やシート２の空冷作用も行い、また、風等に起因してシートの表裏間での圧力差でシート２が浮き上がりバタつくのを防げるのである。
【００１５】
シート２の通気用透孔９は、連続する一つの通風路１４に複数個設けることが好ましく、通気用透孔９の散在の程度は太陽光が通過して直接屋根を高温化することと、換気流通との関係で適宜設計するものとなる。
また、通気用透孔９の形状は円形や四角形等の任意な形状を選択でき、大きさは通風路１４の幅を超えて形成するまでは必要無いけれど、風の出入りが速やかにできる大きさとする。
【００１６】
シート２は、各種織物布、ビニール布、ゴム素材等で引っ張り強さのあるものが望ましく、日除け目的であるから薄手のものでも使用可能である。
【００１７】
以上の説明は本発明の一実施の形態を示したものであり、同一の作用効果を得られる単なる設計の変更や常套手段による変形は本発明の実施態様に含まれるものである。
【図面の簡単な説明】
【００１８】
【図１】本発明の一実施の形態を示す平面図である。
【図２】図１の要部断面図である。
【図３】図１の要部断面図である。
【符号の説明】
【００１９】
１  屋根
２  シート
７  取り付け孔
９  通気用透孔
１０  折板
１１  凹条
１２  凸条
１３  鉤
１４  通風路
１５  間隔
１６  端部
【図１】
0003987550.tif 000002
【図２】
0003987550.tif 000003
【図３】
0003987550.tif 000004